(57)【要約】【課題】立体映像表示装置において開口率及び輝度を低下させることなくクロストークを改善する。【解決手段】本発明の立体映像表示装置は、基板と；基板の一方の面に並んで備えられた第１乃至第３ブラックマトリックスと；基板の他方の面に、第１乃至第３ブラックマトリックスにそれぞれ対応するように設けられ、第１乃至第３ブラックマトリックスと同じ又は広い幅を持つ第１乃至第３ブラックストライプと；第１乃至第３ブラックストライプ上に設けられ、第１及び第２リターダーパターンを有するパターンドリターダーフィルムとを備え、第１リターダーパターンは第１ブラックストライプと第２ブラックストライプとの間に位置し、第２リタ―ダーパターンは第２ブラックストライプと第３ブラックストライプとの間に位置し、第１乃至第３ブラックストライプの幅はクロストーク率とパターンドリターダーフィルムの貼り付け公差及びピクセルのサイズによって決まる。【選択図】図９
2014056228.tif 000002
【特許請求の範囲】
【請求項１】
基板と；
前記基板の一方の面に並んで備えられた第１、第２及び第３ブラックマトリックスと；
前記基板の他方の面に、前記第１、第２及び第３ブラックマトリックスにそれぞれ対応するように設けられ、前記第１、第２及び第３ブラックマトリックスと同じ幅または広い幅を持つ第１、第２及び第３ブラックストライプと；
前記第１、第２及び第３ブラックストライプ上に設けられ、第１リターダーパターン及び第２リターダーパターンを有するパターンドリターダーフィルムとを備え、
前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、
前記第１、第２及び第３ブラックストライプの幅は、クロストーク率と、前記パターンドリターダーフィルムの貼り付け公差及びピクセルのサイズによって決まることを特徴とする立体映像表示装置。
【請求項２】
前記第１リターダーパターンに第１映像が透過され、前記第２リターダーパターンに第２映像が透過されて立体映像を表示することを特徴とする請求項１に記載の立体映像表示装置。
【請求項３】
前記クロストーク率は、前記第１リターダーパターンに前記第２映像が透過された割合、又は前記第２リターダーパターンに前記第１映像が透過された割合であることを特徴とする請求項２に記載の立体映像表示装置。
【請求項４】
前記貼り付け公差は、前記第１リターダーパターンと前記第２リターダーパターンとの境界部に対応する前記基板上の位置と、前記第２ブラックストライプの中央部に対応する前記基板上の位置との距離であることを特徴とする請求項１に記載の立体映像表示装置。
【請求項５】
前記ピクセルのサイズは、前記第１ブラックストライプの中央部と前記第２ブラックストライプの中央部との距離、又は前記第２ブラックストライプの中央部と前記第３ブラックストライプの中央部との距離であることを特徴とする請求項１に記載の立体映像表示装置。
【請求項６】
前記ピクセルのサイズは、前記第１ブラックマトリックスの中央部と前記第２ブラックマトリックスの中央部との距離、又は前記第２ブラックマトリックスの中央部と前記第３ブラックマトリックスの中央部との距離であることを特徴とする請求項１に記載の立体映像表示装置。
【請求項７】
前記第１、第２及び第３ブラックストライプの幅は、前記貼り付け公差の２倍以下であることを特徴とする請求項４に記載の立体映像表示装置。
【請求項８】
前記第１、第２及び第３ブラックストライプの幅は、次式
【数１】
2014056228.tif 000020
の値以上であり、ＣＴは、立体映像のクロストーク率であり、ｍは、前記第１リターダーパターンと前記第２リターダーパターンとの境界部に対応する前記基板上の位置と、前記第２ブラックストライプの中央部に対応する前記基板上の位置との距離であり、ｐは、前記第１ブラックマトリックスの中央部と前記第２ブラックマトリックスの中央部との距離、前記第２ブラックマトリックスの中央部と前記第３ブラックマトリックスの中央部との距離、前記第１ブラックストライプの中央部と前記第２ブラックストライプの中央部との距離、又は前記第２ブラックストライプの中央部と前記第３ブラックストライプの中央部との距離であることを特徴とする請求項１に記載の立体映像表示装置。
【請求項９】
基板と；
前記基板の一方の面に並んで備えられた第１、第２及び第３ブラックマトリックスと；
前記基板の他方の面に、前記第１、第２及び第３ブラックマトリックスにそれぞれ対応するように設けられ、前記第１、第２及び第３ブラックマトリックスと同じ幅または広い幅を持つ第１、第２及び第３ブラックストライプと；
前記第１、第２及び第３ブラックストライプ上に設けられ、第１リターダーパターン及び第２リターダーパターンを有するパターンドリターダーフィルムとを備え、
前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、
前記ブラックストライプの幅は、次式
【数２】
2014056228.tif 000021
の範囲内にあり、ｓは、前記ブラックストライプの幅であり、ＣＴは、立体映像のクロストーク率であり、ｍは、前記第１リターダーパターンと前記第２リターダーパターンとの境界部に対応する前記基板上の位置と、前記第２ブラックストライプの中央部に対応する前記基板上の位置との距離であり、ｐは、前記第１ブラックマトリックスの中央部と前記第２ブラックマトリックスの中央部との距離、前記第２ブラックマトリックスの中央部と前記第３ブラックマトリックスの中央部との距離、前記第１ブラックストライプの中央部と前記第２ブラックストライプの中央部との距離、又は前記第２ブラックストライプの中央部と前記第３ブラックストライプの中央部との距離であることを特徴とする立体映像表示装置。
【請求項１０】
基板と；
前記基板の一方の面に並んで備えられた第１、第２及び第３ブラックマトリックスと；
前記基板の他方の面に、前記第１、第２及び第３ブラックマトリックスにそれぞれ対応するように設けられ、前記第１、第２及び第３ブラックマトリックスと同じ幅または狭い幅を持つ第１、第２及び第３ブラックストライプと；
前記第１、第２及び第３ブラックストライプ上に設けられ、第１リターダーパターン及び第２リターダーパターンを有するパターンドリターダーフィルムとを備え、
前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、
前記第１、第２及び第３ブラックマトリックスの幅は、クロストーク率と、前記パターンドリターダーフィルムの貼り付け公差及びピクセルのサイズによって決まることを特徴とする立体映像表示装置。
【請求項１１】
前記第１リターダーパターンに第１映像が透過され、前記第２リターダーパターンに第２映像が透過されて立体映像を表示することを特徴とする請求項１０に記載の立体映像表示装置。
【請求項１２】
前記クロストーク率は、前記第１リターダーパターンに前記第２映像が透過された割合、又は前記第２リターダーパターンに前記第１映像が透過された割合であることを特徴とする請求項１１に記載の立体映像表示装置。
【請求項１３】
前記貼り付け公差は、前記第１リターダーパターンと前記第２リターダーパターンとの境界部に対応する前記基板上の位置と、前記第２ブラックストライプの中央部に対応する前記基板上の位置との距離であることを特徴とする請求項１０に記載の立体映像表示装置。
【請求項１４】
前記ピクセルのサイズは、前記第１ブラックストライプの中央部と前記第２ブラックストライプの中央部との距離、又は前記第２ブラックストライプの中央部と前記第３ブラックストライプの中央部との距離であることを特徴とする請求項１０に記載の立体映像表示装置。
【請求項１５】
前記ピクセルのサイズは、前記第１ブラックマトリックスの中央部と前記第２ブラックマトリックスの中央部との距離、又は前記第２ブラックマトリックスの中央部と前記第３ブラックマトリックスの中央部との距離であることを特徴とする請求項１０に記載の立体映像表示装置。
【請求項１６】
前記第１、第２及び第３ブラックマトリックスの幅は、前記貼り付け公差の２倍以下であることを特徴とする請求項１３に記載の立体映像表示装置。
【請求項１７】
前記第１、第２及び第３ブラックマトリックスの幅は、次式
【数３】
2014056228.tif 000022
の値以上であり、ＣＴは、立体映像のクロストーク率であり、ｍは、前記第１リターダーパターンと前記第２リターダーパターンとの境界部に対応する前記基板上の位置と、前記第２ブラックストライプの中央部に対応する前記基板上の位置との距離であり、ｐは、前記第１ブラックマトリックスの中央部と前記第２ブラックマトリックスの中央部との距離、前記第２ブラックマトリックスの中央部と前記第３ブラックマトリックスの中央部との距離、前記第１ブラックストライプの中央部と前記第２ブラックストライプの中央部との距離、又は前記第２ブラックストライプの中央部と前記第３ブラックストライプの中央部との距離であることを特徴とする請求項１に記載の立体映像表示装置。
【請求項１８】
基板と；
前記基板の一方の面に並んで備えられた第１、第２及び第３ブラックマトリックスと；
前記基板の他方の面に、前記第１、第２及び第３ブラックマトリックスにそれぞれ対応するように設けられ、前記第１、第２及び第３ブラックマトリックスと同じ幅または狭い幅を持つ第１、第２及び第３ブラックストライプと；
前記第１、第２及び第３ブラックストライプ上に設けられ、第１リターダーパターン及び第２リターダーパターンを有するパターンドリターダーフィルムとを備え、
前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、
前記ブラックマトリックスの幅は、次式
【数４】
2014056228.tif 000023
の範囲内にあり、ｂは、前記ブラックマトリックスの幅であり、ＣＴは、立体映像のクロストーク率であり、ｍは、前記第１リターダーパターンと前記第２リターダーパターンとの境界部に対応する前記基板上の位置と、前記第２ブラックストライプの中央部に対応する前記基板上の位置との距離であり、ｐは、前記第１ブラックマトリックスの中央部と前記第２ブラックマトリックスの中央部との距離、前記第２ブラックマトリックスの中央部と前記第３ブラックマトリックスの中央部との距離、前記第１ブラックストライプの中央部と前記第２ブラックストライプの中央部との距離、又は前記第２ブラックストライプの中央部と前記第３ブラックストライプの中央部との距離であることを特徴とする立体映像表示装置。
【発明の詳細な説明】
【技術分野】
【０００１】
本発明は立体映像表示装置に関し、より具体的には立体映像のクロストークを改善する立体映像表示装置に関する。
【背景技術】
【０００２】
立体映像表示装置は、両眼視差方式（Ｓｔｅｒｅｏｓｃｏｐｉｃ  ｔｅｃｈｎｉｑｕｅ）または複合視差知覚方式（Ａｕｔｏｓｔｅｒｅｏｓｃｏｐｉｃ  ｔｅｃｈｎｉｑｕｅ）を用いて立体映像を実現する。
【０００３】
両眼視差方式は、立体効果が大きい左右の視差映像を利用する。その方式には、眼鏡方式と裸眼方式があるが、両方とも実用化されている。眼鏡方式は、直視型表示素子やプロジェクターに、左右の視差映像の偏光方向を変えて、または時分割方式で表示し、偏光眼鏡または液晶シャッター眼鏡を用いて立体映像を実現する。裸眼方式は、一般的に左右の視差映像の光軸を分離するためのパララックスバリアなどの光学板を、表示画面の前または裏に取り付ける方式である。
【０００４】
図１は、従来の立体映像表示装置を示す図面である。
【０００５】
図１を参照すると、眼鏡方式の立体映像表示装置１は、薄膜トランジスタアレイ基板１０と、カラーフィルター１３及びブラックマトリックス１４を備えたカラーフィルター基板１２と、薄膜トランジスタアレイ基板１０とカラーフィルター基板１２との間に介在された液晶層１５とを備える。そして、薄膜トランジスタアレイ基板１０とカラーフィルター基板１２には、それぞれ下部偏光板１６ｂと上部偏光板１６ａが位置し、上部偏光板１６ａ上にはパターンドリターダー１７が、パターンドリターダー１７上には表面処理された保護フィルム１８が位置して構成される。
【０００６】
前記のように構成された眼鏡方式の立体映像表示装置１は、左眼イメージと右眼イメージを交互に表示し、パターンドリターダー１７を介して偏光眼鏡に入射する光の偏光特性を切り換える。それによって眼鏡方式は、左眼イメージと右眼イメージを空間分割して立体映像を実現することができる。
【０００７】
立体映像表示装置が立体映像を実現するとき、上下視野角はブラックマトリックスの幅や、カラーフィルターとパターンドリターダーとの距離などによって決まる。従来の立体映像表示装置は、ブラックマトリックスの幅を増加させて２６度の上下視野角を具現しているが、ブラックマトリックスの幅の増加は開口率及び輝度を低下するという問題があった。
【発明の概要】
【発明が解決しようとする課題】
【０００８】
本発明は、ブラックマトリックス及びブラックストライプの幅を最適化することで、表示装置の開口率及び輝度が低下することなく、立体映像表示装置のクロストークを改善することができる立体映像表示装置を提供することをその目的とする。
【課題を解決するための手段】
【０００９】
本発明に係る立体映像表示装置は、基板と；前記基板の一方の面に並んで備えられた第１、第２及び第３ブラックマトリックスと；前記基板の他方の面に、前記第１、第２及び第３ブラックマトリックスにそれぞれ対応するように設けられ、前記第１、第２及び第３ブラックマトリックスと同じ幅または広い幅を持つ第１、第２及び第３ブラックストライプと；前記第１、第２及び第３ブラックストライプ上に設けられ、第１リターダーパターン及び第２リターダーパターンを有するパターンドリターダーフィルムとを備え、前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、前記第１、第２及び第３ブラックストライプの幅は、クロストーク率と、前記パターンドリターダーフィルムの貼り付け公差及びピクセルのサイズによって決まることを特徴とする。
【００１０】
前記第１リターダーパターンに第１映像が透過され、前記第２リターダーパターンに第２映像が透過される。
【００１１】
前記クロストーク率は、前記第１リターダーパターンに前記第２映像が透過された割合、又は前記第２リターダーパターンに前記第１映像が透過された割合である。
【００１２】
前記貼り付け公差は、前記第１リターダーパターンと前記第２リターダーパターンとの境界部に対応する前記基板上の位置と、前記第２ブラックストライプの中央部に対応する前記基板上の位置との距離である。
【００１３】
前記ピクセルのサイズは、前記第１ブラックストライプの中央部と前記第２ブラックストライプの中央部との距離、又は前記第２ブラックストライプの中央部と前記第３ブラックストライプの中央部との距離である。
【００１４】
或いは、前記ピクセルのサイズは、前記第１ブラックマトリックスの中央部と前記第２ブラックマトリックスの中央部との距離、又は前記第２ブラックマトリックスの中央部と前記第３ブラックマトリックスの中央部との距離である。
【００１５】
前記第１、第２、第３ブラックストライプの幅は、前記貼り付け公差の２倍以下である。
【００１６】
前記第１、第２、第３ブラックストライプの幅は、次式の値以上である。
【００１７】
【数１】
2014056228.tif 000003
【００１８】
ＣＴは、立体映像のクロストーク率である。
【００１９】
ｍは、前記第１リターダーパターンと前記第２リターダーパターンとの境界部に対応する前記基板上の位置と、前記第２ブラックストライプの中央部に対応する前記基板上の位置との距離である。
【００２０】
ｐは、前記第１ブラックマトリックスの中央部と前記第２ブラックマトリックスの中央部との距離、前記第２ブラックマトリックスの中央部と前記第３ブラックマトリックスの中央部との距離、前記第１ブラックストライプの中央部と前記第２ブラックストライプの中央部との距離、又は前記第２ブラックストライプの中央部と前記第３ブラックストライプの中央部との距離である。
【００２１】
また、本発明に係る立体映像表示装置は、基板と；前記基板の一方の面に並んで備えられた第１、第２及び第３ブラックマトリックスと；前記基板の他方の面に、前記第１、第２及び第３ブラックマトリックスにそれぞれ対応するように設けられ、前記第１、第２及び第３ブラックマトリックスと同じ幅または広い幅を持つ第１、第２及び第３ブラックストライプと；前記第１、第２及び第３ブラックストライプ上に設けられ、第１リターダーパターン及び第２リターダーパターンを有するパターンドリターダーフィルムとを備え、前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、前記ブラックストライプの幅は、次式の範囲内にあることを特徴とする。
【００２２】
【数２】
2014056228.tif 000004
【００２３】
ｓは、前記ブラックストライプの幅である。
【００２４】
ＣＴは、立体映像のクロストーク率である。
【００２５】
ｍは、前記第１リターダーパターンと前記第２リターダーパターンとの境界部に対応する前記基板上の位置と、前記第２ブラックストライプの中央部に対応する前記基板上の位置との距離である。
【００２６】
ｐは、前記第１ブラックマトリックスの中央部と前記第２ブラックマトリックスの中央部との距離、或いは前記第２ブラックマトリックスの中央部と前記第３ブラックマトリックスの中央部との距離、或いは前記第１ブラックストライプの中央部と前記第２ブラックストライプの中央部との距離、或いは前記第２ブラックストライプの中央部と前記第３ブラックストライプの中央部との距離である。
【００２７】
また、本発明に係る立体映像表示装置は、基板と；前記基板の一方の面に並んで備えられた第１、第２及び第３ブラックマトリックスと；前記基板の他方の面に、前記第１、第２及び第３ブラックマトリックスにそれぞれ対応するように設けられ、前記第１、第２及び第３ブラックマトリックスと同じ幅または狭い幅を持つ第１、第２及び第３ブラックストライプと；前記第１、第２及び第３ブラックストライプ上に設けられ、第１リターダーパターン及び第２リターダーパターンを有するパターンドリターダーフィルムとを備え、前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、前記第１、第２及び第３ブラックマトリックスの幅は、クロストーク率と、前記パターンドリターダーフィルムの貼り付け公差及びピクセルのサイズによって決まることを特徴とする。
【００２８】
前記第１リターダーパターンに第１映像が透過され、前記第２リターダーパターンに第２映像が透過される。
【００２９】
前記クロストーク率は、前記第１リターダーパターンに前記第２映像が透過された割合、又は前記第２リターダーパターンに前記第１映像が透過された割合である。
【００３０】
前記貼り付け公差は、前記第１リターダーパターンと前記第２リターダーパターンとの境界部に対応する前記基板上の位置と、前記第２ブラックストライプの中央部に対応する前記基板上の位置との距離である。
【００３１】
前記ピクセルのサイズは、前記第１ブラックストライプの中央部と前記第２ブラックストライプの中央部との距離、又は前記第２ブラックストライプの中央部と前記第３ブラックストライプの中央部との距離である。
【００３２】
或いは、前記ピクセルのサイズは、前記第１ブラックマトリックスの中央部と前記第２ブラックマトリックスの中央部との距離、又は前記第２ブラックマトリックスの中央部と前記第３ブラックマトリックスの中央部との距離である。
【００３３】
前記第１、第２、第３ブラックマトリックスの幅は、前記貼り付け公差の２倍以下である。
【００３４】
前記第１、第２、第３ブラックマトリックスの幅は、次式の値以上である。
【００３５】
【数３】
2014056228.tif 000005
【００３６】
ＣＴは、立体映像のクロストーク率である。
【００３７】
ｍは、前記第１リターダーパターンと前記第２リターダーパターンとの境界部に対応する前記基板上の位置と、前記第２ブラックストライプの中央部に対応する前記基板上の位置との距離である。
【００３８】
ｐは、前記第１ブラックマトリックスの中央部と前記第２ブラックマトリックスの中央部との距離、前記第２ブラックマトリックスの中央部と前記第３ブラックマトリックスの中央部との距離、前記第１ブラックストライプの中央部と前記第２ブラックストライプの中央部との距離、又は前記第２ブラックストライプの中央部と前記第３ブラックストライプの中央部との距離である。
【００３９】
また、本発明に係る立体映像表示装置は、基板と；前記基板の一方の面に並んで備えられた第１、第２及び第３ブラックマトリックスと；前記基板の他方の面に、前記第１、第２及び第３ブラックマトリックスにそれぞれ対応するように設けられ、前記第１、第２及び第３ブラックマトリックスと同じ幅または狭い幅を持つ第１、第２及び第３ブラックストライプと；前記第１、第２及び第３ブラックストライプ上に設けられ、第１リターダーパターン及び第２リターダーパターンを有するパターンドリターダーフィルムとを備え、前記第１リターダーパターンは、前記第１ブラックストライプと前記第２ブラックストライプとの間に位置し、前記第２リタ―ダーパターンは、前記第２ブラックストライプと前記第３ブラックストライプとの間に位置し、前記ブラックマトリックスの幅は、次式の範囲内にあることを特徴とする。
【００４０】
【数４】
2014056228.tif 000006
【００４１】
ｂは、前記ブラックマトリックスの幅である。
【００４２】
ＣＴは、立体映像のクロストーク率である。
【００４３】
ｍは、前記第１リターダーパターンと前記第２リターダーパターンとの境界部に対応する前記基板上の位置と、前記第２ブラックストライプの中央部に対応する前記基板上の位置との距離である。
【００４４】
ｐは、前記第１ブラックマトリックスの中央部と前記第２ブラックマトリックスの中央部との距離、前記第２ブラックマトリックスの中央部と前記第３ブラックマトリックスの中央部との距離、前記第１ブラックストライプの中央部と前記第２ブラックストライプの中央部との距離、又は前記第２ブラックストライプの中央部と前記第３ブラックストライプの中央部との距離である。
【発明の効果】
【００４５】
本発明に係る立体映像表示装置は、ブラックマトリックスにブラックストライプを更に設けることで、立体映像におけるクロストークを改善するメリットがある。また、ブラックマトリックス及びブラックストライプの幅を最適化設計することで、開口率及び輝度の低下を最小化することができる。
【図面の簡単な説明】
【００４６】
【図１】従来の立体映像表示装置を示す図面である。
【図２】本発明の一実施例に係る立体映像表示装置を示す図面である。
【図３】本発明の他実施例に係る立体映像表示装置を示す図面である。
【図４】本発明の他実施例に係る立体映像表示装置を示す図面である。
【図５】本発明の他実施例に係る立体映像表示装置を示す図面である。
【図６】本発明の感光性樹脂組成物の波長による透過率を示すグラフである。
【図７】本発明の他実施例に係るクロストークを示す図面である。
【図８】本発明の他実施例に係るクロストークを示す図面である。
【図９】本発明の他実施例に係る立体映像表示装置を示す図面である。
【図１０】本発明の他実施例に係る立体映像表示装置を示す図面である。
【発明を実施するための形態】
【００４７】
以下、図面を参照しながら本発明の実施例を詳しく説明する。
【００４８】
図２は、本発明の一実施例に係る立体映像表示装置を示す図面である。
【００４９】
図２に示すように本発明の一実施例に係る立体映像表示装置１００は、表示パネルＤＰと、偏光板１７０と、パターンドリターダー１８０と、偏光眼鏡１９５とを備える。
【００５０】
表示パネルＤＰは、液晶表示パネルだけではなく、電界放出表示素子（Ｆｉｅｌ  Ｅｍｉｓｓｉｏｎ  Ｄｉｓｐｌａｙ）や、プラズマディスプレイパネル（ＰＤＰ）や、電界発光素子（Ｅｌｅｃｔｒｏｌｕｍｉｎｅｓｃｅｎｃｅ  Ｄｅｖｉｃｅ）などの他の平板型表示素子や表示パネルでも実現することができる。
【００５１】
表示パネルＤＰを液晶表示パネルで実現した場合、立体映像表示装置１００は、表示パネルＤＰの下部に配置されたバックライトユニットと、表示パネルＤＰとバックライトユニットとの間に配置された偏光板（不図示）を更に備える。パターンドリターダー１８０及び偏光眼鏡１９５は立体映像の駆動素子として、左眼イメージと右眼イメージを空間分離して両眼視差を実現する。
【００５２】
表示パネルＤＰは、２枚のガラス基板と、それらの間に狭持された液晶層を備える。薄膜トランジスタアレイ基板には薄膜トランジスタアレイが設けられ、カラーフィルター基板にはカラーフィルターアレイが設けられる。カラーフィルターアレイはブラックマトリックスやカラーフィルターなどを有する。カラーフィルター基板には偏光板１７０が貼り付けられ、薄膜トランジスタアレイ基板にも偏光板が貼り付けられる。
【００５３】
かかる表示パネルＤＰには、左眼イメージＬと右眼イメージＲがラインバイラインで交互に表示される。偏光板１７０は、表示パネルＤＰのカラーフィルター基板上に貼り付けられる検光器（Ａｎａｌｙｚｅｒ）として、表示パネルＤＰの液晶層を透過して入射する光のうち、特定の線偏光だけを透過させる。
【００５４】
パターンドリターダー１８０は、相互ラインバイラインで交互に配置された第１リターダーパターンと第２リターダーパターンとを備える。リターダーパターンは、偏光板１７０の吸収軸との角度が＋４５度及び−４５度となるように、ラインバイラインで配置されることが望ましい。
【００５５】
リターダーパターンのそれぞれは、複屈折媒質（Ｂｉｒｅｆｒｉｎｇｅｎｃｅ  Ｍｅｄｉｕｍ）を用いて光の位相をγ（波長）／４の分だけ遅らせる。第１リターダーパターンの光軸と第２リターダーパターンの光軸は、相互直交する。
【００５６】
従って、第１リターダーパターンは、表示パネルＤＰで左眼イメージが表示されるラインに対向するように配置され、左眼イメージの光を第１偏光（円偏光または線偏光）に変換する。第２リターダーパターンは、表示パネルＤＰで右眼イメージが表示されるラインに対向するように配置され、右眼イメージの光を第２偏光（円偏光または線偏光）に変換する。一例として第１リターダーパターンは、左円偏光を透過する偏光フィルターで実現することができ、第２リターダーパターンは、右円偏光を透過する偏光フィルターで実現することができる。
【００５７】
偏光眼鏡１９５の左眼レンズには第１偏光成分のみを通過させる偏光フィルムが貼り付けられ、偏光眼鏡１９５の右眼レンズには第２偏光成分のみを通過させる偏光フィルムが取り付けられる。従って、偏光眼鏡１９５を着用した観察者は、左眼では左眼イメージのみを、右眼では右眼イメージのみを見ることになり、表示パネルＤＰに表示された映像を立体映像として認識することになる。
【００５８】
以下、本発明の実施例に係る立体映像表示装置及びその製造方法について更に詳しく説明する。下記において、前述した立体映像表示装置と同一の構成に対しては同一の図面符号を付し、その説明を簡略にする。
【００５９】
図３ないし図５は、本発明の第１実施例に係る立体映像表示装置を示す図面であり、図６は、本発明の感光性樹脂組成物の波長による透過率を示すグラフである。
【００６０】
図３に示すように本発明の第１実施例に係る立体映像表示装置１００は、薄膜トランジスタアレイ基板１１０と、薄膜トランジスタアレイ基板１１０に対向するカラーフィルター基板１２０と、それらの間に介在された液晶層１５０とを備えた表示パネルＤＰを有する。
【００６１】
更に詳しく説明すると、薄膜トランジスタアレイ基板１１０には、薄膜トランジスタアレイが設けられる。薄膜トランジスタアレイは、Ｒ、Ｇ、Ｂのデータ電圧が供給される複数のデータライン、データラインと交差してゲートパルス（またはスキャンパルス）が供給される複数のゲートライン（またはスキャンライン）、データラインとゲートラインの交差部に設けられた複数の薄膜トランジスタ（Ｔｈｉｎ  Ｆｉｌｍ  Ｔｒａｎｓｉｓｔｏｒ）、液晶セルにデータ電圧を充電するための複数の画素電極、画素電極に接続されて液晶セルの電圧を保つためのストレージキャパシタなどを備える。
【００６２】
画素電極に対向して電界を形成する共通電極は、ＴＮ（Ｔｗｉｓｔｅｄ  Ｎｅｍａｔｉｃ）モード及びＶＡ（Ｖｅｒｔｉｃａｌ  Ａｌｉｇｎｍｅｎｔ）モードのような垂直または水平電界駆動方式においては、カラーフィルター基板１２０に設けられ、ＩＰＳ（Ｉｎ  Ｐｌａｎｅ  Ｓｗｉｔｃｈｉｎｇ）モード及びＦＦＳ（Ｆｒｉｎｇｅ  Ｆｉｅｌｄ  Ｓｗｉｔｃｈｉｎｇ）モードのような水平電界駆動方式においては、画素電極と共に薄膜トランジスタアレイ基板１１０に設けられる。
【００６３】
カラーフィルター基板１２０にはＲ、Ｇ、Ｂのカラーフィルター１３５が設けられる。そして、それらの間に複数のブラックマトリックス１３０が設けられ、カラーフィルター１３５とブラックマトリックス１３０を保護するオーバーコート層１４０が設けられる。カラーフィルター１３５は、バックライトユニットから出射して液晶層１５０を透過した光を赤色、緑色、青色に変換する役割をする。そして、カラーフィルター１３５にはブラックマトリックス１３０がそれぞれ位置し、左眼イメージと右眼イメージを見分ける役割をする。オーバーコート層１４０は、カラーフィルター１３５の段差を減少し、カラーフィルター１３５を保護する役割をする。但し、図面においてはブラックマトリックス１３０を設けた後にカラーフィルター１３５を設けることを示しているが、逆にカラーフィルター１３５を設けた後にブラックマトリックス１３０を設けることもできる。
【００６４】
そして、薄膜トランジスタアレイ基板１１０とカラーフィルター基板１２０には、液晶層１５０に接する内側面に液晶のプレチルト角を設定するための配向膜が設けられ、液晶セルのセルギャップを保つためのコラムスペーサー１４５が設けられる。
【００６５】
カラーフィルター基板１２０の外側面には、背面ＩＴＯ１６０と、背面ＩＴＯ１６０上に設けられた第１ブラックストライプ１６５と、第１ブラックストライプ１６５上に設けられた偏光板１７０と、偏光板１７０上に設けられたパターンドリターダーフィルム１８５が設けられる。
【００６６】
背面ＩＴＯ１６０は、カラーフィルター基板１２０上に発生する静電気を外部に排出するものであって、カラーフィルター基板１２０の全面にわたって設けられる。背面ＩＴＯ１６０上に前記ブラックマトリックス１３０に対応する第１ブラックストライプ１６５が設けられる。第１ブラックストライプ１６５上には前述した偏光板１７０が設けられ、表示パネルＤＰを透過した光を偏光する。なお、図４に示すように偏光板１７０には接着剤１６７が形成されて、第１ブラックストライプ１６５及び背面ＩＴＯ１６０上に接着することができる。
【００６７】
偏光板１７０上にパターンドリターダーフィルム１８５が位置する。パターンドリターダーフィルム１８５は前述した通り、第１リターダーパターン１８０ａと第２リターダーパターン１８０ｂが保護フィルム１９０上に形成される。第１リターダーパターン１８０ａは表示パネルＤＰで左眼イメージが表示されるラインに対向するように配置され、左眼イメージの光を第１偏光（円偏光または線偏光）に変換する。第２リターダーパターン１８０ｂは表示パネルＤＰで右眼イメージが表示されるラインに対向するように配置され、右眼イメージの光を第２偏光（円偏光または線偏光）に変換する。一例として、第１リターダーパターン１８０ａは、左円偏光を透過する偏光フィルターで実現することができ、第２リターダーパターン１８０ｂは、右円偏光を透過する偏光フィルターで実現することができる。
【００６８】
第１ブラックストライプ１６５は、ブラックマトリックス１３０に対応する領域に設けられる。表示装置の開口率低下を防止し、立体映像のクロストークを最小限に抑えるため、第１ブラックストライプ１６５の幅を調節することができる。
【００６９】
一方、図５に示すように前述した立体映像表示装置１００とは異なって、カラーフィルター基板１２０の外側面に第１ブラックストライプ１６５が設けられ、第１ブラックストライプ１６５を覆う構造で背面ＩＴＯ１６０が設けられるようにしてもよい。そして、背面ＩＴＯ１６０上に偏光板１７０が設けられ、偏光板１７０上にパターンドリターダーフィルム１８５が位置する。パターンドリターダーフィルム１８５は前述した通り、第１リターダーパターン１８０ａと第２リターダーパターン１８０ｂが保護フィルム１９０上に形成される。
【００７０】
前述した本発明に係るブラックマトリックス１３０と第１ブラックストライプ１６５は、カーボンブラックを含む感光性樹脂組成物からなる。更に詳しく説明すると、ブラックマトリックス１３０と第１ブラックストライプ１６５の材料として用いられる感光性樹脂組成物は、顔料（Ｐｉｇｍｅｎｔ）、バインダー、多官能性モノマー、光開始剤、分散剤、添加剤を含む。
【００７１】
顔料は黒色顔料と有機顔料のうち、少なくとも１つを含む。前記黒色顔料としてカーボンブラックを用いることができ、遮光性のある顔料であれば特に限定されない。例えば、黒色顔料としてはチャンネルブラック、ファーネスブラック、サーマルブラック、ランプブラックなどを用いることができる。そして、有機顔料としては水溶性アゾ顔料、不溶性アゾ顔料、フタロシアニン顔料、キナクリドン顔料、イソインドリノン顔料、イソインドリン顔料、ペリレン顔料、ペリノン顔料、ジオキサジン顔料、アントラキノン顔料、ジアントラキノニル顔料、アントラピリミジン顔料、アンタントロン顔料、インダントロン顔料、フラバントロン顔料、ピラントロン顔料、ジケトピロロピロール顔料などを用いることができる。
【００７２】
バインダーは樹脂組成物の結合性を向上するためのものであって、他のモノマーとの共重合が可能なものを用いることができる。例えば、バインダーはアクリル系樹脂、ポリイミド樹脂、フェノール樹脂及びカルド系樹脂のうち、いずれかの１つ以上であり得る。また、それら樹脂は、酸基またはエポキシ基を有する化合物であり得る。望ましくは、エポキシアクリレート樹脂を用いることができる。
【００７３】
多官能性モノマーは、光開始剤によって重合できる化合物であって、アクリレート系モノマーであり得る。例えば、エチレングリコールジアクリレート、１，４−シクロヘキシサンジオールジアクリレート、トリメチロールトリアクリレート、トリメチロールプロパントリアクリレート、ペンタエリトリトールトリアクリレート、テトラエチレングリコールジアクリレート、ジペンタエリトリトールトリアクリレート、ジペンタエリトリトールテトラアクリレート、ソルビトールトリアクリレート、ソルビトールテトラアクリレート、ビニルアセテート、トリアリルジアヌレートなどを用いることができる。また、モノマー以外に二量体及び三量体のようなポリマーも効果的に用いることができる。
【００７４】
光開始剤は、光でラジカルを発生して重合を誘発させる材料であって、アセトフェノン系化合物、ビイミダゾール系化合物、トリアジン系化合物及びオキシム系化合物のうち、いずれかの１つ以上を用いることができるが、オキシム系化合物を用いることが望ましい。
【００７５】
分散剤は、樹脂組成物内の顔料成分が溶け出ることを防止するためのものであって、界面活性剤を用いることができる。例えば、シリコン系、ブッ素系、エステル系、陽イオン系、陰イオン系、ノニオン系、両性などの界面活性剤などを用いることができる。
【００７６】
添加剤は、必要によって本発明における樹脂組成物に添加することができるものであって、充填剤、硬化剤、酸化防止剤、紫外線吸収剤などを用いることができる。
【００７７】
前記のように、ブラックマトリックス１３０と第１ブラックストライプ１６５の材料として用いられる感光性樹脂組成物は、顔料（Ｐｉｇｍｅｎｔ）、バインダー、多官能性モノマー、光開始剤、分散剤、添加剤を含む。図６に示すように、本発明における感光性樹脂組成物は顔料成分が入っているため、可視光の波長では少し透過をしているが、８００nm以上の波長においては６０％以上の透過率を得ることができる。従って、本発明においては、かかる感光性組成物でブラックマトリックス１３０と第１ブラックストライプ１６５を製造することができる。
【００７８】
また、ブラックストライプ１６５の場合、的確な位置に設けるためにカラーフィルター基板１２０に備えられたブラックマトリックス１３０をアラインキーとして用いるか、または別のマスクアラインキーを用いることができ、フォトマスク工程或いはプリンティング工程を通じて製造できるので、誤差を最小化することができる。
【００７９】
しかし、パターンドリターダーフィルム１８５の場合、韓国出願番号１０−２０１０−００３５１８４に開示された通り、貼り付け公差によるミスアラインが発生する可能性があり、その結果、立体映像のクロストークが発生して立体映像の画質上の問題が生じ得る。
【００８０】
図７及び図８を参照して、貼り付け公差によるミスアラインにより生じる立体映像のクロストークを詳しく説明する。図７及び図８は、パターンドリターダーフィルム１８５がブラックストライプ１６５と正確にアラインできず、長さｍの分だけ誤差が発生した場合を示す。バックライトユニットから出射して液晶層（不図示）を透過した光は、カラーフィルター基板１２０に備えられたカラーフィルター（不図示）を透過して、パターンドリターダーフィルム１８５を透過する。前述した通りに立体映像を具現するためには、カラーフィルター（不図示）を透過した第１映像の光は、パターンドリターダーフィルム１８５に形成された第１リターダーパターン１８０aを通過し、隣接するカラーフィルター（不図示）を透過した第２映像の光は、パターンドリターダーフィルム１８５に形成された第２リターダーパターン１８０ｂを透過しなければならない。しかし、図７及び図８に示すようにパターンドリターダーフィルム１８５の貼り付け公差によるミスアラインが長さｍの分だけ発生した場合、第２映像に該当する光が第１リターダーパターン１８０ａの一部を透過したり、第１映像に該当する光が第２リターダーパターン１８０ｂの一部を透過したりすることで、立体映像のクロストークを誘発する。
【００８１】
かかる立体映像におけるクロストークを最小化するためには、カラーフィルター基板１２０に備えられたブラックマトリックス１３０の幅を増加したり、ブラックストライプ１６５の幅を増加したりすることができる。しかし、ブラックマトリックス１３０及びブラックストライプ１６５の幅を必要以上に広く形成した場合、前述したように開口率及び輝度を低下するという問題がある。
【００８２】
以下、図９を参照して最適なブラックストライプ１６５を設計するための本発明の実施例について説明する。以下で説明する実施例において、前述した実施例に係る立体映像表示装置と同一の構成については同一符号を付し、その説明を簡略にする。
【００８３】
本発明に係る立体映像表示装置は、カラーフィルター基板１２０の一方の面にＲ、Ｇ、Ｂのカラーフィルター（不図示）と、それらの間にｂの幅を持つ第１、第２、第３ブラックマトリックス１３０ａ、１３０ｂ、１３０ｃが備えられる。そしてカラーフィルター基板１２０の他方の面には第１、第２、第３ブラックマトリックス１３０ａ、１３０ｂ、１３０ｃの幅と同じか、または広い幅ｓを持つ第１、第２、第３ブラックストライプ１６５ａ、１６５ｂ、１６５ｃが第１、第２、第３ブラックマトリックス１３０ａ、１３０ｂ、１３０ｃにそれぞれ対応して備えられる（ｓ≧ｂ）。また、前述したように背面ＩＴＯ１６０、偏光板１７０及びパターンドリターダーフィルム１８５が第１、第２、第３ブラックストライプ１６５ａ、１６５ｂ、１６５ｃの上に積層される。
【００８４】
パターンドリターダーフィルム１８５は前述したように、第１リターダーパターン１８０ａと、第２リターダーパターン１８０ｂを備えており、第１ブラックストライプ１６５ａと第２ブラックストライプ１６５ｂとの間に第１リターダーパターン１８０ａが位置し、第２ブラックストライプ１６５ｂと第３ブラックストライプ１６５ｃとの間に第２リターダーパターン１８０ｂが位置する。
【００８５】
本発明に係る立体映像表示装置における第１、第２、第３ブラックストライプ１６５ａ、１６５ｂ、１６５ｃの幅は、クロスロークＣＴ、パターンドリターダーフィルム１８５の貼り付け公差ｍ及びピクセルのサイズｐによって決まる。詳細は後で説明する。
【００８６】
本発明に係る立体映像表示装置におけるクロストークＣＴの算出式は次式の通りである。
【００８７】
【数５】
2014056228.tif 000007
【００８８】
クロストークＣＴについて詳しく説明すると、前述した通りに第１映像に対する光の一部が第１リターダーパターン１８０ａを通過せず、第２リターダーパターン１８０ｂを通過した割合である。即ち、クロストークＣＴが低ければ低いほど立体映像の品質は向上し、高ければ高いほど立体映像の品質は低下する。通常、クロストークＣＴは、ディスプレイ画面のサイズと視聴距離によって立体映像表示装置の製品別許容寸法と割合を変動することができる。
【００８９】
また、数式５においてｍは、図９に示すパターンドリターダーフィルム１８５の貼り付け公差である。貼り付け公差は前述したように、パターンドリターダーフィルム１８５がブラックストライプ１６５と正確にアラインできず、工程の不正確さによって発生したマージンである。即ち、第１リターダーパターン１８０ａと第２リターダーパターン１８０ｂの境界部に対応するカラーフィルター基板１２０上の位置と、第２ブラックストライプ１６５ｂの中央部に対応するカラーフィルター基板１２０上の位置との距離として考えられる。
【００９０】
そして数式５においてｐは、隣接した第１、第２、第３ブラックマトリックス１３０ａ、１３０ｂ、１３０ｃ、或いは隣接した第１、第２、第３ブラックストライプ１６５ａ、１６５ｂ、１６５ｃ同士のピッチとして定義されるが、それは１個の画素を構成するピクセルのサイズ及び１個のカラーフィルター１３５のサイズと同じ意味である。即ち、第１ブラックマトリックス１３０ａの中央部と第２ブラックマトリックス１３０ｂの中央部との距離、或いは第２ブラックマトリックスの中央部１３０ｂと第３ブラックマトリックス１３０ｃの中央部との距離として考えられる。また、第１ブラックストライプ１６５ａの中央部と第２ブラックストライプ１６５ｂの中央部との距離、或いは第２ブラックストライプ１６５ｂの中央部と、第３ブラックストライプ１６５ｃの中央部との距離として考えられる。
【００９１】
最後に、数式５におけるｓは、第１、第２、第３ブラックストライプ１６５ａ、１６５ｂ、１６５ｃの幅として定義され、第１、第２、第３ブラックストライプ１６５ａ、１６５ｂ、１６５ｃの幅ｓを左側にして、数式５を変換すると下記のようになる。
【００９２】
【数６】
2014056228.tif 000008
【００９３】
ここで、実際に製造される立体映像表示装置における第１、第２、第３ブラックストライプ１６５ａ、１６５ｂ、１６５ｃの幅ｓの広さが、数式６の算出値より小さい場合、クロストークＣＴは更に高くなる。従って、数式６の値は第１、第２、第３ブラックストライプ１６５ａ、１６５ｂ、１６５ｃの最小幅Ｍｉｎ（ｓ）となり、結果的に次式にまとめられる。
【００９４】
【数７】
2014056228.tif 000009
【００９５】
以下、本発明に係る実施例において第１、第２、第３ブラックストライプ１６５ａ、１６５ｂ、１６５ｃの最小幅Ｍｉｎ（ｓ）を決める過程を、例を挙げて説明する。４２型（インチ）立体映像テレビの場合、製品の解像度によって異なるが、通常、ピクセル１個のサイズは５００μｍ内外で、クロストークＣＴは２％以内で製作される。パターンドリターダーフィルム１８５の貼り付け公差ｍが５０μｍ発生したとすると、第１、第２、第３ブラックストライプ１６５ａ、１６５ｂ、１６５ｃの最小幅Ｍｉｎ（ｓ）は下記のようになる。
【００９６】
【数８】
2014056228.tif 000010
【００９７】
前記の数式によって第１、第２、第３ブラックストライプ１６５ａ、１６５ｂ、１６５ｃの最小幅Ｍｉｎ（ｓ）は８３．７μｍになる。即ち、第１、第２、第３ブラックストライプ１６５ａ、１６５ｂ、１６５ｃの幅ｓを少なくとも８３．７μｍと同じか、または広く形成した場合にクロストークＣＴが２％以下になる。もし第１、第２、第３ブラックストライプ１６５ａ、１６５ｂ、１６５ｃの幅ｓを最小幅Ｍｉｎ（ｓ）より小さく形成すると、クロストークＣＴの割合が高くなって立体映像の品質上、深刻な問題を引き起こす可能性がある。
【００９８】
一方、第１、第２、第３ブラックストライプ１６５ａ、１６５ｂ、１６５ｃの 幅ｓを必要以上に広くした場合、開口率が低下して立体映像の輝度が低下し、結果的に画像の品質が低下する恐れがある。
【００９９】
以下、第１、第２、第３ブラックストライプ１６５ａ、１６５ｂ、１６５ｃの最大幅Ｍａｘ（ｓ）の設計について説明する。第１、第２、第３ブラックストライプ１６５ａ、１６５ｂ、１６５ｃの最大幅Ｍａｘ（ｓ）は次式のように定義される。
【０１００】
【数９】
2014056228.tif 000011
【０１０１】
即ち、第１、第２、第３ブラックストライプ１６５ａ、１６５ｂ、１６５ｃの最大幅Ｍａｘ（ｓ）は貼り付け公差ｍの２倍である。詳しく説明すると、数式９は数式６で、クロストークＣＴに０を代入した数式であるため、クロストークの発生を防止できる第１、第２、第３ブラックストライプ１６５ａ、１６５ｂ、１６５ｃの幅ｓであると考えられる。もし第１、第２、第３ブラックストライプ１６５ａ、１６５ｂ、１６５ｃの幅ｓが貼り付け公差ｍの２倍より広く形成されると、クロストークは発生しないが、開口率が低下するため、必ず第１、第２、第３ブラックストライプ１６５ａ、１６５ｂ、１６５ｃの最大幅Ｍａｘ（ｓ）と同じか、または小さく設計しなければならない。
【０１０２】
前述した例における第１、第２、第３ブラックストライプ１６５ａ、１６５ｂ、１６５ｃの最大幅Ｍａｘ（ｓ）は、１００μｍ（＝２×５０μｍ）になる。
【０１０３】
以上、本発明に係る実施例に記載したように第１、第２、第３ブラックストライプ１６５ａ、１６５ｂ、１６５ｃの幅ｓは、最終的に次式のようにまとめられる。
【０１０４】
【数１０】
2014056228.tif 000012
【０１０５】
以下、図１０を参照して最適なブラックマトリックス１３０を設計するための本発明に係る他の実施例について説明する。以下で説明する実施例において、前述した実施例に係る立体映像表示装置と同一の構成については同一の図面符号を付し、その説明を簡略にする。
【０１０６】
本発明に係る立体映像表示装置は、カラーフィルター基板１２０の一方の面にＲ、Ｇ、Ｂのカラーフィルター（不図示）と、それらの間にｂの幅を持つ第１、第２、第３ブラックマトリックス１３０ａ、１３０ｂ、１３０ｃが備えられる。そして、カラーフィルター基板１２０の他方の面には第１、第２、第３ブラックマトリックス１３０ａ、１３０ｂ、１３０ｃの幅ｂと同じか、または狭い幅ｓを持つ第１、第２、第３ブラックストライプ１６５ａ、１６５ｂ、１６５ｃが、第１、第２、第３ブラックマトリックス１３０ａ、１３０ｂ、１３０ｃに対応して備えられる（ｓ≦ｂ）。また、前述したように背面ＩＴＯ１６０、偏光板１７０及びパターンドリターダーフィルム１８５が第１、第２、第３ブラックストライプ１６５ａ、１６５ｂ、１６５ｃの上に積層される。
【０１０７】
パターンドリターダーフィルム１８５は、前述したように第１リターダーパターン１８０ａと第２リターダーパターン１８０ｂを備えており、第１ブラックストライプ１６５ａと第２ブラックストライプ１６５ｂとの間に第１リターダーパターン１８０ａが位置し、第２ブラックストライプ１６５ｂと第３ブラックストライプ１６５ｃとの間に第２リターダーパターン１８０ｂが位置する。
【０１０８】
本発明に係る立体映像表示装置における第１、第２、第３ブラックマトリックス１３０ａ、１３０ｂ、１３０ｃの幅は、クロストークＣＴ、パターンドリターダーフィルム１８５の貼り付け公差ｍ及びピクセルのサイズｐによって決まる。詳しい説明は後述する。
【０１０９】
本発明に係る立体映像表示装置のクロストークＣＴを算出する数式は、下記の通りである。
【０１１０】
【数１１】
2014056228.tif 000013
【０１１１】
クロストークＣＴ、貼り付け公差ｓ、隣接した第１、第２、第３ブラックマトリックス１３０ａ、１３０ｂ、１３０ｃ、或いは隣接した第１、第２、第３ブラックストライプ１６５ａ、１６５ｂ、１６５ｃ同士のピッチは、前述した実施例における説明と同一であるため、その説明を省略する。数式１１におけるｂは、第１、第２、第３ブラックマトリックス１３０ａ、１３０ｂ、１３０ｃの幅として定義され、ブラックマトリックス１３０の幅ｂを左側にして数式５を変換すると下記の通りになる。
【０１１２】
【数１２】
2014056228.tif 000014
【０１１３】
実際に製造される立体映像表示装置における第１、第２、第３ブラックマトリックス１３０ａ、１３０ｂ、１３０ｃの幅ｂが数式１２の算出値より小さい場合、クロストークＣＴは更に高くなるので、数式１２の値は第１、第２、第３ブラックマトリックス１３０ａ、１３０ｂ、１３０ｃの最小幅Ｍｉｎ（ｂ）となり、最終的に次式のようにまとめられる。
【０１１４】
【数１３】
2014056228.tif 000015
【０１１５】
以下、本発明に係る実施例において第１、第２、第３ブラックマトリックス１３０ａ、１３０ｂ、１３０ｃの最小幅Ｍｉｎ（ｂ）を決める過程を、例を挙げて説明する。４７型（インチ）立体映像テレビの場合、製品の解像度によって異なるが、通常、ピクセル１個のサイズは５５０μｍ内外で、クロストークＣＴは２％以内で製作される。パターンドリターダーフィルム１８５の貼り付け公差ｍが４０μｍ発生したとすると、第１、第２、第３ブラックマトリックス１３０ａ、１３０ｂ、１３０ｃの最小幅Ｍｉｎ（ｂ）は下記のようになる。
【０１１６】
【数１４】
2014056228.tif 000016
【０１１７】
前記の数式によって第１、第２、第３のブラックマトリックス１３０ａ、１３０ｂ、１３０ｃの最小幅Ｍｉｎ（ｂ）は６０．８μｍになる。即ち、第１、第２、第３ブラックマトリックス１３０ａ、１３０ｂ、１３０ｃの幅ｂを少なくとも６０．８μｍと同じか、または広く形成した場合にクロストークＣＴは２％以下になる。もし第１、第２、第３ブラックマトリックス１３０ａ、１３０ｂ、１３０ｃの幅ｂを最小幅Ｍｉｎ（ｂ）より小さく形成すると、クロストークＣＴが高くなって立体映像の品質上、深刻な問題を引き起こす可能性がある。
【０１１８】
一方、第１、第２、第３ブラックマトリックス１３０ａ、１３０ｂ、１３０ｃの 幅ｂを必要以上に広くした場合、開口率が低下して立体映像の輝度が低下し、結果的に画像の品質が低下する恐れがある。
【０１１９】
以下、第１、第２、第３ブラックマトリックス１３０ａ、１３０ｂ、１３０ｃの最大幅Ｍａｘ（ｂ）の設計について説明する。第１、第２、第３ブラックマトリックス１３０ａ、１３０ｂ、１３０ｃの最大幅Ｍａｘ（ｂ）は次式のように定義される。
【０１２０】
【数１５】
2014056228.tif 000017
【０１２１】
即ち、第１、第２、第３ブラックマトリックス１３０ａ、１３０ｂ、１３０ｃの最大幅Ｍａｘ（ｂ）は貼り付け公差ｍの２倍である。詳しく説明すると、数式１５は数式１２で、クロストークＣＴに０を代入した数式であるため、クロストークの発生を防止できる第１、第２、第３ブラックマトリックス１３０ａ、１３０ｂ、１３０ｃの幅ｂであると考えられる。もし第１、第２、第３ブラックマトリックス１３０ａ、１３０ｂ、１３０ｃの幅ｂが貼り付け公差ｍの２倍より広く形成されると、クロストークは発生しないが、開口率が低下するため、必ず第１、第２、第３ブラックマトリックス１３０ａ、１３０ｂ、１３０ｃの最大幅Ｍａｘ（ｂ）と同じか、または小さく設計しなければならない。
【０１２２】
前述した例における第１、第２、第３ブラックマトリックス１３０ａ、１３０ｂ、１３０ｃの最大幅Ｍａｘ（ｂ）は、８０μｍ（＝２×４０μｍ）になる。
【０１２３】
以上、本発明に係る実施例に記載したように第１、第２、第３ブラックマトリックス１３０ａ、１３０ｂ、１３０ｃの幅ｂは、最終的に次式のようにまとめられる。
【０１２４】
【数１６】
2014056228.tif 000018
【０１２５】
以下、本発明に係る立体映像表示装置について下記の実験例を用いて詳しく説明する。しかし、下記の実験例は本発明を説明するためのものに過ぎず、本発明が下記の実験例に限定されるものではない。
【０１２６】
下記の表１は、立体映像表示装置のサイズによるブラックストライプ１６５或いはブラックマトリックス１３０の最適設計値に関する実験結果である。隣接したブラックマトリックス１３０との距離ｐは製品の固定設計値であり、クロストーク率ＣＴは製品によるクロストークの許容数値であるため固定値となる。また、パターンドリターダーフィルム１８５の貼り付け公差ｍは工程上の特徴であるため、固定値となる。従って、最適なブラックストライプ１６５及びブラックマトリックス１３０は前述した数式によって下記の表１のような結果を得る。
【０１２７】
【表１】
2014056228.tif 000019
【０１２８】
前記のように本発明の実施例に係る立体映像表示装置は、ブラックマトリックス１３０にブラックストライプ１６５を更に設けることによって立体映像のクロストークを改善すると共に最適なブラックストライプ１６５及びブラックマトリックス１３０を設計することで開口率及び輝度の低下を最小化できるというメリットがある。
【０１２９】
以上、図面を参照して本発明の実施例を説明したが、本発明の精神や必須の特徴を変更しない範囲内で様々な変更が可能であることは、本発明の属する技術分野の当業者にとって自明である。従って、前述した実施例に限定されない。特に、立体映像表示装置における一例を説明したが、それに限らず、ブラックストライプ、ブラックマトリックス及びパターンドリターダーフィルムを備えた映像表示装置に適用されることができる。なお、本発明の範囲は、詳細な説明より後述する特許請求の範囲及びそれらの均等物の範囲内で変更、または変形された内容を基準とする。
【符号の説明】
【０１３０】
１１０…薄膜トランジスタアレイ基板、１２０…カラーフィルター基板、１３０…ブラックマトリックス、１３０ａ…第１ブラックマトリックス、１３０ｂ…第２ブラックマトリックス、１３０ｃ…第３ブラックマトリックス、１３５…カラーフィルター、１４０…オーバーコート層、１５０…液晶層、１６０…背面ＩＴＯ、１６５…ブラックストライプ、１６５ａ…第１ブラックストライプ、１６５ｂ…第２ブラックストライプ、１６５ｃ…第３ブラックストライプ、１７０…偏光板、１８５…パターンドリターダーフィルム、１８０ａ…第１リターダーパターン、１８０ｂ…第２リターダーパターン、１９０…保護フィルム
【図１】
2014056228.tif 000024
【図２】
2014056228.tif 000025
【図３】
2014056228.tif 000026
【図４】
2014056228.tif 000027
【図５】
2014056228.tif 000028
【図６】
2014056228.tif 000029
【図７】
2014056228.tif 000030
【図８】
2014056228.tif 000031
【図９】
2014056228.tif 000032
【図１０】
2014056228.tif 000033